(57)【特許請求の範囲】
【請求項１】
テーブル類の脚体の上端に固設する脚体側金具本体、該脚体側金具本体の上面から立ち上がる平面視五角形の連結頭部、及び該脚体側金具本体に形成したこれを該脚体の上端に固設する固設手段のそれぞれを備えた脚体側金具と、
テーブル類の天板の下面に固設する天板側金具本体、該天板側金具本体の下面に開口する底面視五角形の連結孔、該天板側金具本体に形成した、該連結孔に挿入嵌合した前記連結頭部を該連結孔中に固定する固定ねじ螺合用の斜め上向きのねじ穴、及び前記天板側金具本体を前記天板の下面に固設するための固設手段のそれぞれを備えた天板側金具と、
前記天板側金具本体のねじ穴に螺合して前記脚体側金具の連結頭部を前記連結孔中に固定する固定ねじと、
で構成し、
前記連結頭部の平面視五角形が、底辺と、該底辺の両端から該底辺に直角に延びる同一寸法の平行な両側辺と、該両側辺の先端から各々対応する側辺との間の内角が相互に同一の大きさの角度となる直線を延長してそれが交わって形成される五角形であり、
前記連結頭部の前記五角形の底辺に対応する面が、前記ねじ穴に螺合した前記固定ねじの先端が圧接する斜め下向きの受け面であり、
前記連結頭部の前記受け面の反対側の頂稜部に向かう両側の面が位置決めテーパ状部を構成し、
前記連結孔の前記底面視五角形が、前記連結頭部の前記平面視五角形と相似形で僅かにこれを越える寸法であり、
前記連結孔の底面視五角形の底辺に対応する面に対面する凹角部が、前記連結頭部の頂稜部に対応し、該凹角部に向かう両側の面が前記位置決めテーパ状部に対応する案内テーパ状部であり、
前記ねじ穴が、該連結孔の底面視五角形の底辺に対応する面まで斜め下方から延びて該面で開口するように構成したものである、テーブル類の天板と脚体との取付具。
【請求項２】
前記脚体側金具本体を円板状に構成し、前記連結頭部を該円板状の脚体側金具本体の中央部に立ち上げ、前記固設手段を該脚体側金具本体の周側に沿って開口した複数の取付ねじ用のねじ穴に構成し、かつ該脚体側金具本体の前記連結頭部の受け面に対応する側に前記固定ねじが通過するための切欠溝を形成した請求項１のテーブル類の天板と脚体との取付具。
【請求項３】
前記天板側金具本体を円板状に構成し、該円板状の天板側金具本体の中央部に円柱状突起を構成し、該円柱状突起に上下貫通状態に底面視五角形の前記連結孔を構成し、前記ねじ穴を該底面視五角形の前記連結孔の底辺に対応する面にその斜め下方から貫通する状態に構成した請求項１又は２のテーブル類の天板と脚体との取付具。
【発明の詳細な説明】
【技術分野】
【０００１】
本発明は、テーブル類の天板に脚を取り付けるために使用する天板側金具と脚側金具とからなるテーブル類の天板と脚体との取付具に関するものである。
【背景技術】
【０００２】
この種のテーブル類の天板と脚体との取付具に関してはいくつかの提案例がある。
特許文献１は、その一つの例で、テーブル用脚の取付具に関するものであり、これは、下面側に開口する脚取付孔が設けられ、テーブルの天板の下面に形成された凹部に嵌合固定された天板側金具と、テーブルの脚の上面に形成された孔内に嵌合固定される棒状本体と該棒状本体の外周部に一体に形成されテーブルの脚の上端面に当接する鍔部と該鍔部の上部に突設して前記天板側金具に設けられた脚取付孔に嵌合する頭部とを有する脚側金具とを具備すると共に、前記天板側金具の下面に前記脚側金具の鍔部が嵌合する凹部が形成されているものである。
【０００３】
従ってこの特許文献１のテーブル用脚の取付具によれば、天板の下面に固定した天板側金具の脚取付孔に、脚に固定した脚側金具の頭部を装入し、かつ該天板側金具の凹部に該脚側金具の鍔部を装入嵌合させた上で、該脚取付孔に装入嵌合させた頭部を斜め下方向からねじ込んだ取付ねじでその状態に固定し、脚を天板に固定するものであり、テーブルの天板の厚さをそれほど厚くすることなく脚をその下面に固設することができるものではあるが、前記天板側金具に開口されている脚取付孔及び脚側金具の鍔部上部の頭部に位置決めを正確にするための何らの構成も施されていないので、天板への脚の位置決めが正確に行えない問題がある。また脚側金具の棒状本体の固定のために脚の側方からボルト等を挿入する必要があり、そのために脚に無用の穴をあけざるを得ない問題もある。
【０００４】
特許文献２は、テーブル用脚の取付具に関するものであり、これは、テーブルの天板の下面に形成された取付孔に嵌合固定された天板側金具であって、その中心に設けられた孔の対向する二辺の一方には斜め下方に突出する斜面が形成され、前記二辺の他方には天板側金具の底面側から斜め上方向に貫通するねじ孔が形成されてなる天板側金具と、脚の上端に螺着されたボルト状の脚側金具であって、その上面には、前記天板側金具の前記孔に嵌挿される頭部が一体に突設され、該頭部の対向する二辺には、それぞれ前記天板側金具の斜面と平行に当接係合する斜面と前記ねじ孔に螺着された取付ねじの先端が平行に当接係合する傾斜面よりなる係止部とが、略逆八字状に形成されてなる脚側金具と、を具備したものである。
【０００５】
従ってこの特許文献２のテーブル用脚の取付具によれば、天板に固定した天板側金具の孔に、脚の上端に取り付けた脚側金具の頭部を装入嵌合させ、前記ねじ孔に取付ねじをねじ込み固定することで、天板に脚を固設することができる。このとき、前記孔の対向する二辺の一方には斜め下方に突出する斜面が形成され、前記頭部の対向する二辺には、それぞれ前記天板側金具の斜面と平行に当接係合する斜面と前記ねじ孔に螺着された取付ねじの先端が平行に当接係合する傾斜面とが構成されているので、頭部の周方向の向きが特定されることになる。
【０００６】
以上のように、前記天板側金具の孔及び脚側金具の頭部形状の関係で周方向の向きは一応決定されるものではあるが、この場合も、位置決めを正確にするための何らの構成も施されていないので、天板への脚の位置決めが正確に行えない問題がある。またこの特許文献２の場合も、脚側金具の棒状本体の固定のために脚の側方からボルト等を挿入する必要があり、そのために脚に無用の穴をあけざるを得ない問題がある。
【０００７】
特許文献３は、テーブル用脚の取付具に関するものであり、これは、テーブルの天板の下面に取り付けられる天板側金具とテーブルの脚体の上部に取り付けられる脚側金具とを具備し、天板側金具の下面に開口した取付孔に脚側金具の上面に突設した頭部を嵌合し、天板側金具の下面から取付孔に対して斜めに貫通するねじ孔に固定ねじを螺合し、脚側金具の頭部外壁に形成した係止用斜面に固定ねじの先端を当接させて、脚側金具を天板側金具の取付孔に支持固定するように構成したテーブル用脚の取付具において、
前記天板側金具は、受け金具と該受け金具の上面に沿って移動可能に配置された挟持ブロックとにより分離状態に形成され、該挟持ブロックには、前記脚側金具の前記頭部が嵌合する上部取付孔が形成されると共に前記固定ねじが螺合される前記ねじ孔が該上部取付孔に対して斜めに貫通して形成され、前記脚側金具の前記頭部の基部の外周には、フランジ部が一体に形成され、前記脚側金具の頭部を、前記受け金具に形成した下部取付孔を通して前記挟持ブロックに形成した前記上部取付孔に嵌合させた状態で、前記固定ねじを、前記受け金具の下方から前記挟持ブロックの前記ねじ孔に螺締させることによりその先端を前記頭部の係止用斜面に当接させたときに、前記受け金具の上面において移動調整位置にある前記挟持ブロックと前記フランジ部との間に受け金具が挟持固定される構造になるものである。
【０００８】
従ってこの特許文献３のテーブル用脚の取付具によれば、テーブルの天板の下面に天板側金具を取り付け、かつ脚の上端に脚側金具を取り付けて、該天板側金具及び脚側金具を介して、脚を天板に取り付けると、前記挟持ブロックの上部取付孔に嵌合させた脚側金具の頭部を、前記ねじ孔に螺合した固定ねじの先端を係止用斜面に当接させて固定することができるものであり、頭部が確実に該上部取付孔に固定されることになり、天板に脚が固定されることになることは確かである。しかし、前記挟持ブロックは、これと脚側金具のフランジ部とで、受け金具の一部を挟んで固定されるだけのものであるので、横方向の外力が加わると滑って動いてしまう可能性がある。それ故、前記頭部を上部取付孔に嵌合させた挟持ブロックと受け金具天板との位置決め、すなわち、天板と脚との位置決め調整は可能であるが、調整し決定したその位置を確実に固定することは困難である。
【０００９】
更にこの特許文献３のテーブル用脚の取付具の場合も、特許文献１、２のそれと同様に、脚側金具の棒状本体の固定のために脚の側方からボルト等を挿入する必要があり、そのために脚に無用の穴をあけざるを得ない問題もある。
【先行技術文献】
【特許文献】
【００１０】
【特許文献１】実公平０４−１３６８号公報
【特許文献２】実公平０４−１６０１０号公報
【特許文献３】特開平２００９−９５４２２号公報
【発明の概要】
【発明が解決しようとする課題】
【００１１】
本発明は、それを用いることにより、テーブル類の天板への脚体の取付の際の位置決めが正確にでき、かつ位置決め固定した天板と脚体との位置関係が容易に変動を生ぜず、更に脚体に取り付ける構成要素の該脚体への固定のために該脚体に側方から穴をあける等の必要の無い、それ故、脚体の外観に悪影響を与えることのないテーブル類の天板と脚体との取付具を提供することを解決の課題とする。
【課題を解決するための手段】
【００１２】
本発明の１は、テーブル類の脚体の上端に固設する脚体側金具本体、該脚体側金具本体の上面から立ち上がる平面視五角形の連結頭部、及び該脚体側金具本体に形成したこれを該脚体の上端に固設する固設手段のそれぞれを備えた脚体側金具と、
テーブル類の天板の下面に固設する天板側金具本体、該天板側金具本体の下面に開口する底面視五角形の連結孔、該天板側金具本体に形成した、該連結孔に挿入嵌合した前記連結頭部を該連結孔中に固定する固定ねじ螺合用の斜め上向きのねじ穴、及び前記天板側金具本体を前記天板の下面に固設するための固設手段のそれぞれを備えた天板側金具と、
前記天板側金具本体のねじ穴に螺合して前記脚体側金具の連結頭部を前記連結孔中に固定する固定ねじと、
で構成し、
前記連結頭部の平面視五角形が、底辺と、該底辺の両端から該底辺に直角に延びる同一寸法の平行な両側辺と、該両側辺の先端から各々対応する側辺との間の内角が相互に同一の大きさの角度となる直線を延長してそれが交わって形成される五角形であり、
前記連結頭部の前記五角形の底辺に対応する面が、前記ねじ穴に螺合した前記固定ねじの先端が圧接する斜め下向きの受け面であり、
前記連結頭部の前記受け面の反対側の頂稜部に向かう両側の面が位置決めテーパ状部を構成し、
前記連結孔の前記底面視五角形が、前記連結頭部の前記平面視五角形と相似形で僅かにこれを越える寸法であり、
前記連結孔の底面視五角形の底辺に対応する面に対面する凹角部が、前記連結頭部の頂稜部に対応し、該凹角部に向かう両側の面が前記位置決めテーパ状部に対応する案内テーパ状部であり、
前記ねじ穴が、該連結孔の底面視五角形の底辺に対応する面まで斜め下方から延びて該面で開口するように構成したものである、テーブル類の天板と脚体との取付具である。
【００１３】
本発明の２は、本発明の１のテーブル類の天板と脚体との取付具において、
前記脚体側金具本体を円板状に構成し、前記連結頭部を該円板状の脚体側金具本体の中央部に立ち上げ、前記固設手段を該脚体側金具本体の周側に沿って開口した複数の取付ねじ用のねじ穴に構成し、かつ該脚体側金具本体の前記連結頭部の受け面に対応する側に前記固定ねじが通過するための切欠溝を形成したものである。
【００１４】
本発明の３は、本発明の１又は２のテーブル類の天板と脚体との取付具において、
前記天板側金具本体を円板状に構成し、該円板状の天板側金具本体の中央部に円柱状突起を構成し、該円柱状突起に上下貫通状態に底面視五角形の前記連結孔を構成し、前記ねじ穴を該底面視五角形の前記連結孔の底辺に対応する面にその斜め下方から貫通状態に構成したものである。
【発明の効果】
【００１５】
本発明の１のテーブル類の天板と脚体との取付具によれば、対象となるテーブル類の脚体の上端に脚体側金具を取り付け、テーブル類の天板の下面の対応する部位に正確に天板側金具を取り付け、脚体と天板とを該脚体側金具と該天板側金具を介して取り付けることにより、天板への脚体の正確な取付が実現できる。またその正確な取付状態を確実に維持することができる。更に脚体側金具は脚体の側部に取付用の孔を要することなく脚体の上端に固設することができる。
【００１６】
前記脚体側金具は、脚体側金具本体を脚体の上端に正確に配置した上で、種々のねじ類等の固設手段を利用してその状態に固設することができる。脚体側金具本体を嵌め込むのに適当な位置決め凹部を脚体の上端に正確に形成しておけば、その正確な配置は容易に行えることになる。なお、この場合は、脚体に上端から連結棒のような部材を埋め込み、側方からボルト等をねじ込んでその抜け止めを図るような必要が無いので、脚体の側部に穴をあけるような必要はない。
【００１７】
前記天板側金具は、天板側金具本体を天板の所要の位置に正確に配した上で、やはりねじ類等の固設手段を用いてその位置に固設することができる。この場合も、天板の下面の所要の位置に天板側金具本体を嵌め込むのに適当は位置決め凹部を形成しておけば、この中に嵌め込むことで、天板側金具本体の正確な配置が容易にできることになる。
【００１８】
以上のように、脚体の上端への脚体側金具本体の取付固定、天板の下面の所定の位置への天板側金具本体の取付固定を、それぞれ正確に行った上で、該脚体側金具本体の上面から立ち上げた連結頭部を天板側金具本体の連結孔に相互に対応する向きで挿入し、前記固定ねじを、天板側金具本体のねじ穴に挿入螺合し、その先端を該連結頭部の受け面に圧接させると、該連結頭部は、該受け面と反対側に位置する頂稜部が、連結頭部の位置決めテーパ状部及び連結孔の案内テーパ状部の作用で、該連結孔の対応する凹角部に案内されるため、正確に位置決めされることになる。
【００１９】
またこの位置決め状態及び固定状態は、前記固定ねじが緩まない限り、維持されるので、天板への脚体の正確な位置決め状態及び固定状態は確実に維持されることになる。
【００２０】
本発明の２のテーブル類の天板と脚体との取付具によれば、全体が合理的な構成であり、本発明の１の効果に加えて、更に脚体の上端への脚体側金具の取り付けが容易かつ確実になり、脚体側金具本体の連結頭部を天板側金具本体の連結孔に挿入した上で、該連結頭部を該連結孔中に固定する際に、前記固定ねじの前記ねじ穴への螺合が容易に行い得られることとなる。
【００２１】
本発明の３のテーブル類の天板と脚体との取付具によれば、本発明の２の場合と同様に、全体が合理的な構成であり、本発明の１の効果に加えて、前記ねじ穴も固定ねじを挿入螺合しやすい構成となっている。
【図面の簡単な説明】
【００２２】
【図１】(a)は一実施例のテーブル類の天板と脚体との取付具を構成する天板側金具、脚体側金具及び固定ねじを示す分離状態の断面図、(b)は連結状態の断面図、(c)は連結時の位置決め作用を説明する説明用平面図。
【図２】(a)は一実施例の脚体側金具の平面図、(b)は(a)を右側から見た側面図、(c)は(a)のＡ−Ａ線断面図。
【図３】(a)は一実施例の天板側金具の平面図、(b)は(a)の右側から見た側面図、(c)は底面図、(d)は(a)のＢ−Ｂ線断面図、(e)は固定ねじの側面図、(f)は背面図、(g)は正面図。
【図４】(a)は一実施例の天板側金具を天板の下面の所要の位置に取り付けた状態を示す底面図、(b)は脚体側金具を脚体の上端の中心に取り付けた状態を示す平面図。
【図５】一実施例の天板側金具を天板の下面の所要の位置に取り付け、脚体側金具を脚体の上端の中心に取り付けた状態を示す一部切欠側面図。
【図６】一実施例の天板側金具を天板の下面の所要の位置に取り付け、脚体側金具を脚体の上端の中心に取り付けた上で、両者を連結した状態を示す一部切欠側面図。
【発明を実施するための形態】
【００２３】
発明を実施するための形態を、実施例に基づき図面を参照しながら説明する。
【００２４】
この実施例のテーブル類の天板と脚体との取付具は、図１(a)〜(c)〜図３(a)〜(g)に示すように、基本的に、脚体側金具本体１ａ、その上面から立ち上がる連結頭部１ｂ及び該脚体側金具本体１ａに形成した四個の取付用ねじ穴１ｃ、１ｃ…を、それぞれ備えた脚体側金具１と、天板側金具本体２ａ、その中央部で上下に貫通する連結孔２ｂ、該天板側金具本体２ａに形成した固定ねじ３の螺合用のねじ穴２ｃ及び該天板側金具本体２ａに形成した四個の取付用ねじ穴２ｄ、２ｄ…を、それぞれ備えた天板側金具２と、前記天板側金具本体２ａのねじ穴２ｃに螺合する固定ねじ３と、で構成したものである。
【００２５】
前記脚体側金具本体１ａは、図１(a)、(b)及び図２(a)〜(c)に示すように、この実施例では、円板状に構成し、その中央に前記連結頭部１ｂを立ち上げたものである。該連結頭部１ｂは、同図に示すように、平面視五角形であり、この五角形は、底辺１ｂｂと、その両端から該底辺１ｂｂに直角に延びる同一寸法の平行な両側辺１ｂｓ、１ｂｓと、該両側辺１ｂｓ、１ｂｓの先端から各々対応する側辺１ｂｓ、１ｂｓとの間の内角が相互に同一の大きさの角度となり延長先で交わる直線１ｂｄ、１ｂｄで形成される。
【００２６】
また図１(a)、(b)、図２(b)、(c)、図５及び図６に示すように、前記連結頭部１ｂの前記五角形の底辺１ｂｂに対応する面が、前記ねじ穴２ｃに螺合した前記固定ねじ３の先端が当接する斜め下向きの受け面１ｂｒであり、この斜め下向きの角度は、固定ねじ３の軸心と直交する角度である。
【００２７】
更に図１(a)、(b)、図２(b)、(c)、図５及び図６に示すように、前記連結頭部１ｂの前記受け面１ｂｒの反対側の頂稜部１ｂｃはその最上部から最下部まで直線的に垂下する構成とし、該頂稜部１ｂｃに向かう両側の面は、該連結頭部１ｂを位置決めする位置決めテーパ状部１ｂｔを構成している。
【００２８】
前記取付用ねじ穴１ｃ、１ｃ…は、特に図２(a)〜(c)に示すように、円板状の脚体側金具本体１ａの周側に沿って９０度の角度間隔で表裏貫通状態に形成したものである。各々は、皿形の頭部を備えた取付ねじの頭部を埋設可能なように、上部側に皿形拡大部を備えた構成となっている。
【００２９】
更に図１(a)〜(c)、図２(a)〜(c)、図４(b)、図５及び図６に示すように、円板状の前記脚体側金具本体１ａの前記連結頭部の受け面１ｂｒに対面する側には、周側部からその直前までの間に、前記固定ねじ３が通過するための切欠溝１ｄを形成してある。
【００３０】
前記天板側金具本体２ａは、図１(a)〜(c)、図３(a)〜(d)、図４(a)、図５及び図６に示すように、この実施例では、円板状に構成し、該円板状の天板側金具本体２ａの中央部に前記連結頭部１ｂの高さを若干越える高さの円柱状突起２ｅ立ち上げ状態に構成し、前記連結孔２ｂを該円柱状突起２ｅの中央部に上下貫通状態に構成する。該連結孔２ｂは、平面視及び底面視五角形で最下部から最上部まで直線的に構成したものであり、この五角形は、前記連結頭部１ｂの上面の五角形と相似形であり、かつ僅かに大寸法である。
【００３１】
前記連結孔２ｂの前記連結頭部１ｂの受け面１ｂｒに対面する面には、図１(a)、(b)、図３(a)〜(d)、図４(a)、図５及び図６に示すように、前記ねじ穴２ｃが開口してある。該ねじ穴２ｃは、同図に示すように、その軸心が、前記連結孔２ｂに装入される連結頭部１ｂの受け面１ｂｒと直交する向きとなるように、斜め下方から延長して、該連結孔２ｂの前記面に開口するものである。その内周には、前記固定ねじ３と係合する雌ねじが構成してある。
【００３２】
また前記連結孔２ｂは、図１(a)、(c)、図３(a)〜(d)、図４(a)、図５及び図６に示すように、前記連結頭部１ｂの頂稜部１ｂｃに対面する凹角部２ｂｋに向かう両側の面が前記連結頭部１ｂの位置決めテーパ状部１ｂｔに対面する同角度の案内テーパ状部２ｂｔであり、前記固定ねじ３によって連結頭部１ｂの受け面１ｂｒが押圧されると、該連結頭部１ｂは、移動距離は極めて短いが、両テーパ状部１ｂｔ、２ｂｔによってその頂稜部１ｂｃが凹角部２ｂｋに案内され、正確に位置決めされることになる。
【００３３】
前記連結孔２ｂは、以上のような構成で、図１(c)、図３(a)、(c)及び図４(a)に示す平面視及び底面視五角形であり、前記連結頭部１ｂの前記平面視五角形と相似形で僅かにこれを越える寸法となっているものである。
【００３４】
前記取付用ねじ穴２ｄ、２ｄ…は、特に図３(a)〜(d)に示すように、円板状の天板側金具本体２ａの周側に沿って９０度の角度間隔で４個を表裏貫通状態に形成したものである。各々は、皿形の頭部を備えた取付ねじの頭部を埋設可能なように、下部側に皿形拡大部を備えた構成となっている。天板側金具本体２ａは、脚体側金具本体１ａと異なり、天板の下面側に取り付けるので、当然、取付ねじは下方からねじ込むことになる。それ故、上記のように、該取付用ねじ穴２ｄ、２ｄ…の下部側に皿形拡大部を構成することになる。
【００３５】
前記固定ねじ３は、図１(a)、(b)、図３(e)〜(g)、図４(a)、図５及び図６に示すように、後端にこれをねじ込むための六角形の孔を有するねじ部材であり、前記したように、その外周には、これを前記連結孔２ｂに開口するねじ穴２ｃに螺合できる雄ねじが形成してある。
【００３６】
従ってこの実施例のテーブル類の天板と脚体との取付具によれば、図１(a)〜(c)、図４(a)、(b)、図５及び図６に示すように、対象となるテーブル類の脚体１１の上端に脚体側金具１を取り付け、該テーブル類の天板１２の下面の対応する部位（四隅など）に正確に天板側金具２を取り付け、該脚体１１と該天板１２とを該脚体側金具１と該天板側金具２とを介して取り付けることにより、該天板１２への該脚体１１の正確な取り付けが実現できる。またその正確な取付状態を確実に維持することができる。更に脚体側金具１は脚体１１の側部に取付用の孔等を要することなく脚体１１の上端に固設することができる。
【００３７】
この実施例では、テーブル類の天板１２の下面四隅に、脚体１１、１１…を、図４(a)に一点鎖線で示し、図６では実線で示すように、その上端の外周が、該天板１２の各隅部を挟む隣接する二辺のそれぞれに正確に接するように配置することとしたものであり、これを確実に実行可能である。
【００３８】
前記脚体側金具１は、図４(b)及び図５に示すように、脚体側金具本体１ａを脚体１１の上端に正確に配置した上で、取付ねじ４、４…を利用してその状態に固設する。このとき、脚体１１の上端中央には、該脚体側金具本体１ａを嵌合することができる深さ及び径の位置決め凹部１１ａを形成し、かつ該脚体１１には、該脚体１１の周側外側から前記固定ねじ３が通過するための、その角度に合わせた通過用溝１１ｂを形成しておき、同図に示すように、該位置決め凹部１１ａの中に該脚体側金具本体１ａを装入嵌合し、かつ該脚体側金具本体１ａを調整回転させてこれに形成してある前記切欠溝１ｄを該通過用溝１１ｂに一致させた上で、前記取付ねじ４、４…をそれぞれ前記取付用ねじ穴１ｃ、１ｃ…を通じて脚体１１にねじ込み固定する。
【００３９】
こうして該脚体側金具１は該脚体１１の上端に正確に固設されることになる。なお、該取付ねじ４、４…の皿形の頭部は、該取付用ねじ穴１ｃ、１ｃ…の上部の皿形拡大部に埋設状態となり、該脚体１１の上面及び該脚体側金具本体１ａの上面から上方に突出するようなことのない状態となる。
【００４０】
他方、前記天板側金具２を天板１２の四隅にそれぞれ正確に取り付ける。この実施例では、図４(a)に示すように、連結孔２ｂの凹角部２ｂｋを天板１２の隅角部に向くように、かつ、同図に一点鎖線で示すように、該連結孔２ｂに連結頭部１ｂを装入嵌合させて天板１２に脚体１１を取り付けた場合に、その脚体１１の上端外周が天板１２の対応する隅角部を挟む両側の辺に接するように、天板側金具２を位置決めする。天板１２の四隅の下面側には、以上のように天板側金具２を配置できるように、天板側金具本体２ａの厚さに相当する深さ及び径の位置決め凹部１２ａであって、その中央に前記円柱状突起２ｅの径及び高さに相当する深さの円柱状凹部１２ｂを備えた位置決め凹部１２ａを正確に形成しておき、かつ該円柱状凹部１２ｂの上面に、前記連結孔２ｂの凹角部２ｂｋの位置すべき位置を示す目印線１２ｃを描いておく。
【００４１】
前記天板１２の下面四隅に、以上のように正確に形成した位置決め凹部１２ａに天板側金具本体２ａを装入嵌合する。このとき、当然、天板側金具本体２ａの円柱状突起２ｅは位置決め凹部１２ａの中央の円柱状凹部１２ｂに嵌合することとなるが、該円柱状突起２ｅに開口した連結孔２ｂを通じて該円柱状凹部１２ｂの上面に描いた目印線１２ｃが見える。そこで、該天板側金具本体２ａを調整回転させ、該連結孔２ｂの凹角部２ｂｋを、図４(a)に示すように、該目印線１２ｃに一致させ、天板側金具本体２ａを正確に位置決めした上で、前記取付用ねじ穴２ｄ、２ｄ…を通じて取付ねじ５、５…を天板１２にねじ込み、該天板側金具２を天板１２に固定する。
【００４２】
前記取付ねじ５、５…は、それらの皿形の頭部が取付用ねじ穴２ｄ、２ｄ…の皿形拡大部に埋設状態になるため、天板１２の下面及び天板側金具本体２ａの下面から突出するようなことはない。
【００４３】
以上のように、脚体１１の上端への脚体側金具１の取付固定、天板１２の四隅の下面の天板側金具２の取付固定を、それぞれ正確に行った上で、脚体側金具１及び天板側金具２を介して天板１２の四隅に脚体１１、１１…を取り付ける。
【００４４】
図５に示すように、脚体１１の上端に固設した脚体側金具１を、天板１２の四隅の一つに配した天板側金具２に上下対応させ、かつ、図６に示すように、脚体側金具本体１ａの上面から立ち上げた連結頭部１ｂを、天板１２の天板側金具本体２ａの連結孔２ｂに、相互に対応する向きで、すなわち、前者の頂稜部１ｂｃを後者の凹角部２ｂｋに、前者の受け面１ｂｒ側を後者の凹角部２ｂｋと対面する面側に、それぞれ対応させた向きで、装入する。
【００４５】
次いで、前記固定ねじ３を、図６に示すように、天板側金具本体２ａのねじ穴２ｃに挿入螺合し、その先端を該連結孔２ｂに装入してある連結頭部１ｂの受け面１ｂｒに圧接させると、該連結頭部１ｂは、該受け面１ｂｒと反対側に位置する頂稜部１ｂｃが、該連結頭部１ｂの位置決めテーパ状部１ｂｔ及び連結孔２ｂの案内テーパ状部２ｂｔの作用で、該連結孔２ｂの凹角部２ｂｋに案内されるため、正確に位置決めされることになる。また該連結頭部１ｂは、これによって抜け止め状態が保持され、確実に該連結孔２ｂ中に固定されることになる。
【００４６】
以上のようにして、天板１２の四隅部の各々に脚体１１を取り付ければ、言うまでも無く、一つのテーブルの天板１２への脚体１１の取り付けは完了である。
【００４７】
なお、図１(b)及び図６に示すように、固定ねじ３をねじ穴２ｃに螺合し、その先端で連結頭部１ｂの受け面１ｂｒに圧接すると、該連結頭部１ｂは、図１(c)に示すように、かつ前記したように、該連結頭部１ｂの位置決めテーパ状部１ｂｔ及び前記連結孔２ｂの案内テーパ状部２ｂｔの作用で、その頂稜部１ｂｃが必ず該連結孔２ｂの凹角部２ｂｋに進入し、正確に位置決めされることになる。図１(c)は、固定ねじ３の先端で連結頭部１ｂの受け面１ｂｒが押されて、図面上で下方に位置する脚側金具１が矢印に沿って上方に移動し、連結頭部１ｂの頂稜部１ｂｃが連結孔２ｂの凹角部２ｂｋ中に正確に進入することを誇張して描いてある。すなわち、連結孔２ｂの凹角部２ｂｋとこれに対面する面との間の距離を実際より長く描いてあり、連結頭部１ｂは連結孔２ｂ中を長い距離を動くように描いてあるが、実際には、それは、極めて近距離の動きである。ここでは、説明の都合上誇張して描いている。
【００４８】
以上の位置決め状態で、図４(a)（一点鎖線で表示）及び図６に示すように、脚体１１の上端の周側部が天板１２の隅角部の両側の辺に接する状態となり、この状態は、前記固定ねじ３が緩まない限り、維持されるので、天板１２への脚体１１の正確な位置決め状態は確実に維持されることになる。またその固設状態も確実に維持されることになる。
【００４９】
更に以上のように、脚体１１を天板１２に取り付けることとしたので、前記固定ねじ３を螺合するねじ穴２ｃ、固定ねじ３の通過用の切欠溝１ｄ及び通過用溝１１ｂがテーブル類の中心側に開口することとなり、外側に露出することはない。意匠上の不都合を回避することができる。
【産業上の利用可能性】
【００５０】
本発明のテーブル類の天板と脚体との取付具によれば、家具製造の分野で有効に利用できる。
【符号の説明】
【００５１】
１    脚体側金具    
１ａ  脚体側金具本体
１ｂ  連結頭部
１ｂｂ  連結頭部の五角形のうちの底辺
１ｂｃ  連結頭部の頂稜部
１ｂｄ  連結頭部の五角形のうちの直線
１ｂｒ  受け面
１ｂｓ  連結頭部の五角形のうちの側辺
１ｂｔ  位置決めテーパ状部
１ｃ  取付用ねじ穴
１ｄ  切欠溝
２    天板側金具
２ａ  天板側金具本体
２ｂ  連結孔
２ｂｋ  連結孔の凹角部
２ｂｔ  案内テーパ状部
２ｃ  ねじ穴
２ｄ  取付用ねじ穴
２ｅ  円柱状突起
３    固定ねじ
４    取付ねじ
５    取付ねじ
１１  脚体
１１ａ  脚体の位置決め凹部
１１ｂ  脚体の通過用溝
１２  天板
１２ａ  天板の位置決め凹部
１２ｂ  位置決め凹部中央の円柱状凹部
１２ｃ  円柱状凹部の上面の目印線
【図１】
0005667735.tif 000002
【図２】
0005667735.tif 000003
【図３】
0005667735.tif 000004
【図４】
0005667735.tif 000005
【図５】
0005667735.tif 000006
【図６】
0005667735.tif 000007